(57)【要約】【課題】  構造を簡素化し、仮設及び分解に要する時間を削減する。【解決手段】  構造物４に仮設される朝顔の構造であって、複数本の支持部材５と、支持部材５で支持された防護材６とを含む。各支持部材５が、梁３に片持ち状態で固定されることで、構造物４から外方に斜め上向きで突き出る。【選択図】図２
2018035504.tif 000002
【特許請求の範囲】
【請求項１】
柱と梁とを含む構造物に仮設される朝顔の構造であって、
複数本の支持部材と、前記支持部材で支持された落下物を受けるための防護材とを含み、前記各支持部材が、前記梁に片持ち状態で固定されることで、前記構造物から外方に斜め上向きに突き出ていることを特徴とする朝顔の構造。
【請求項２】
前記各支持部材は、前記梁に固定される取付部と、前記取付部に固定される支柱部とを含み、前記支柱部は、その長さが調節可能に構成されていることを特徴とする請求項１記載の朝顔の構造。
【請求項３】
前記各支持部材は、前記梁に固定される取付部と、前記取付部に固定される支柱部とを含み、前記支柱部は、前記取付部に対して傾動することにより、角度調節可能に構成されていることを特徴とする請求項１又は２記載の朝顔の構造。
【発明の詳細な説明】
【技術分野】
【０００１】
本発明は、建築現場に仮設される朝顔の構造に関する。
【背景技術】
【０００２】
従来、建築現場において、上方からの落下物が地上に到達するのを食い止めるために、朝顔が多用されている。一般に、朝顔は、建築中の構造物から上に向けて突き出した複数の支持部材と、これに支持される防護柵や防護ネット等の防護材とを具えている（例えば特許文献１参照）。
【先行技術文献】
【特許文献】
【０００３】
【特許文献１】特開平７−２０７９５２号公報
【発明の概要】
【発明が解決しようとする課題】
【０００４】
一般に、朝顔の各支持部材は、その一端が構造物側の足場支柱に固定され、他端が、上方から吊られるか、又は、前記足場支柱に固定された頬杖材などで下方から支えられている。このように、従来の朝顔は、構成部材数が多いため、仮設及び分解に多くの時間を要するという問題があった。
【０００５】
本発明は、以上のような問題点に鑑み案出なされたもので、構造を簡素化しうる朝顔を提供することを主たる課題としている。
【課題を解決するための手段】
【０００６】
本発明は、柱と梁とを含む構造物に仮設される朝顔の構造であって、
複数本の支持部材と、前記支持部材で支持された落下物を受けるための防護材とを含み、前記各支持部材が、前記梁に片持ち状態で固定されることで、前記構造物から外方に斜め上向きに突き出ていることを特徴としている。
【０００７】
本発明に係る朝顔の構造では、前記各支持部材は、前記梁に固定される取付部と、前記取付部に固定される支柱部とを含み、前記支柱部は、その長さが調節可能に構成されていることが好ましい。
【０００８】
本発明に係る朝顔の構造では、 前記各支持部材は、前記梁に固定される取付部と、前記取付部に固定される支柱部とを含み、前記支柱部は、前記取付部に対して傾動することにより、角度調節可能に構成されていることが好ましい。
【発明の効果】
【０００９】
本発明は、柱と梁とを含む構造物に仮設される朝顔の構造であって、複数本の支持部材と、前記支持部材で支持された落下物を受けるための防護材とを含み、前記各支持部材が、前記梁に片持ち状態で固定されることで、前記構造物から外方に斜め上向きで突き出ている。
【００１０】
本発明によれば、各支持部材が片持ち構造とされているので、従来の吊り部材や頬杖部材などが不要となり、構成部材数を減らし、ひいては、仮設及び分解に要する時間を削減することができる。
【００１１】
また、本発明によれば、各支持部材は、梁に固定されるため、構造物からの突き出し量を減らすことができる。朝顔の仮設に要するスペースを削減でき、狭小地での建築作業に役立つ。
【図面の簡単な説明】
【００１２】
【図１】本発明の朝顔の構造の一実施例を概念的に示す斜視図である。
【図２】朝顔の構造の側面図である。
【図３】朝顔の構造の平面図である。
【図４】取付部を拡大して示す分解斜視図である。
【図５】支柱部を分解して示す斜視図である。
【図６】第２傾斜状態の支柱部を示す側面図である。
【発明を実施するための形態】
【００１３】
以下、本発明の実施の形態について、詳細に説明する。
図１に示すように、本発明の朝顔１の構造は、柱２と梁３とを含む構造物４に仮設され、作業員を落下物から保護する。
【００１４】
前記朝顔１の構造は、複数本の支持部材５と、この支持部材５で支持された防護材６とを含み、各支持部材５が、梁３に片持ち状態で固定される。これにより、朝顔１は、構造物４から外方に斜め上向きに突出し、落下物を受け止める。
【００１５】
図２に示すように、各支持部材５は、梁３に固定される取付部７と、この取付部７に、固定される支柱部８とを含む。
【００１６】
本例では、前記梁３は、上フランジ３Ａと下フランジ３Ｂとの間をウエブ３Ｃで継いだ断面Ｉ字状の形鋼等によって形成される。この梁３は、構造物４の外周に沿い、かつ柱２、２（図１に示す）間に水平に架け渡される。
【００１７】
前記取付部７は、溶接などによって一体連結された第１、第２のブラケット９、１０を具える。
【００１８】
図４に示すように、第１のブラケット９は、前記梁３の上フランジ３Ａにボルト止めされて外方にのびる上片部９Ａと、上片部９Ａの外端で折り返されて斜め下向きで内方にのびる傾斜片部９Ｂと、傾斜片部９Ｂの下端で下方に折れ曲がりかつ梁３のウエブ３Ｃに当接する当接片部９Ｃとを具える。
【００１９】
第２のブラケット１０は、前記第１のブラケット９の上片部９Ａから立ち上がり、外方に向かって互いに平行にのびる一対の側片部１０Ａを有する。本例では、各側片部１０Ａの下端に、互いに外向きに折れ曲がりかつ上片部９Ａに溶着される底片部１０Ｂが配される。具体的には、本例の第２のブラケット１０は、断面Ｌ字状の一対のアングル材を用い、各アングル材の一方の片（底片部１０Ｂに相当。）を上片部９Ａに溶着することで、他方の片によって側片部１０Ａを形成している。なお本明細書では、側片部１０Ａ同士が互いに向き合う側を「内向き」、その反対側を「外向き」という。
【００２０】
各側片部１０Ａは、前記上片部９Ａを越えて外方にはみ出すとともに、側片部１０Ａの外端間は、第１の継ぎ片部１０Ｃによって連結される。また側片部１０Ａ間は、その長さ方向の中央側に位置する第２の継ぎ片部１０Ｄによっても連結される。第２の継ぎ片部１０Ｄは、側片部１０Ａの例えば上縁に沿って水平に取り付くとともに、この第２の継ぎ片部１０Ｄには、後述する防護材６（図１、２に示す）の内端側を支持するためのフック金具１１が取り付く。
【００２１】
又第２のブラケット１０には、前記側片部１０Ａに、支柱部８を傾動可能に取り付けるための枢支軸１２が、着脱自在に配される。本例では、枢支軸１２としてボルトが用いられる。各側片部１０Ａには、枢支軸１２が通る挿通孔１３が配される。なお符号１４は、枢支軸１２のネジ部を固定するためのナット金具である。
【００２２】
本例の取付部７は、枢支軸１２回りで傾動可能な支柱部８を、第１傾斜状態Ｙ１（図２に示す）で固定する第１ストッパ１５と、第２傾斜状態Ｙ２（図６に示す）で固定する第２ストッパ１６とを具える。なお第１傾斜状態Ｙ１（図２に示す）は、支柱部８が、水平線に対して第１角度θ１（例えば４５度程度）で傾斜する状態であり、第２傾斜状態Ｙ２（図６に示す）は、支柱部８が、前記第１角度θ１よりも大な第２角度θ２（例えば６０度程度）で傾斜する状態である。即ち、朝顔１は、支柱部８の傾斜角度を調節可能に構成している。
【００２３】
本例では、前記第１のブラケット９の傾斜片部９Ｂが第１ストッパ１５を構成している。即ち、枢支軸１２回りで傾動可能な支柱部８の内端部の内側面が、傾斜片部９Ｂの外側面と当接することで、支柱部８を第１傾斜状態Ｙ１にて固定しうる。
【００２４】
又、第２ストッパ１６は、係止ピン１７であって、各側片部１０Ａに、その内向き面１０Ａｓから出没可能に取り付く。本例では、係止ピン１７がボルトからなり、各側片部１０Ａの外向き面に溶着されたナット金具１８に、螺進退可能に取り付く。そして、係止ピン１７が螺進して側片部１０Ａの内向き面１０Ａｓから突出したとき、図６に示すように、係止ピン１７の突出部が、枢支軸１２回りで傾動可能な支柱部８の内端部の外側面と当接する。これにより、支柱部８が、第２傾斜状態Ｙ２にて固定される。又図３に示すように、なお係止ピン１７が螺退して側片部１０Ａの内向き面１０Ａｓから突出しない場合（係止ピン１７がナット金具１８から取り外された場合も含む）には、図２に示すように、支柱部８は、第１ストッパ１５により第１傾斜状態Ｙ１にて固定される。
【００２５】
図３、４に示すように、前記支柱部８は、例えば断面矩形状の角形鋼管からなり、その内端部が前記側片部１０Ａ、１０Ａ間に挿入され、かつ前記枢支軸１２に枢支される。支柱部８の内端部には、前記枢支軸１２に枢支される挿通孔２０が形成される。又支柱部８の外端部には、防護材６の外端側を支持するためのフック金具２１（図２、５に示す）が取り付く。
【００２６】
本例では、支柱部８は、その長さが調節可能に構成される。具体的には、図５に示すように、支柱部８は、前記挿通孔２０を有する第１支柱部２２と、前記フック金具２１を有しかつ前記第１支柱部２２にスライド可能に支持される第２支柱部２３とを具える。
【００２７】
第１支柱部２２には、その側面に、前記挿通孔２０と、この挿通孔２０よりも外側で長さ方向にのびる長孔状の長さ調節孔２４とが設けられる。又第２支柱部２３は、前記第１支柱部２２の内孔２２Ｈ内に、長さ方向にスライド移動可能に挿入される。第２支柱部２３の側面には、ボルト２５が通る挿通孔２６が形成されている。従って、ボルト２５が、長さ調節孔２４及び挿通孔２６を通ってナッド金具２８（図３に示す）に固定されることにより、第２支柱部２３は、任意のスライド位置にて、第１支柱部２２に固定される。
【００２８】
次に、防護材６は、本例では防護ネットであって、落下物を受けて作業員を保護する。この防護材６は、前記フック金具１１、２１に係止され、支持部材５上に張設される。なお防護材６として、防護ネット以外に、防護シート、防護柵等を採用することもできる。
【００２９】
このように、前記朝顔１は、支持部材５が片持ち構造とされているので、構成部材数を減らすことができ、仮設及び分解に要する時間を削減しうる。又支持部材５が梁３に固定されるため、構造物４からの突き出し量を減らすことができる。そのため、朝顔１の仮設に要するスペースを削減でき、狭小地での建築作業に役立つ。
【００３０】
又本例では、支柱部８の長さ、及び／又は傾斜角度が調節可能に構成されている。従って、作業現場の状況に応じて、構造物４からの突き出し量を調整することができる。
【００３１】
以上、本発明の特に好ましい実施形態について詳述したが、本発明は図示の実施形態に限定されることなく、種々の態様に変形して実施しうる。
【符号の説明】
【００３２】
１     朝顔
２     柱
３     梁
４     構造物
５     支持部材
６     防護材
７     取付部
８     支柱部
【図１】
2018035504.tif 000003
【図２】
2018035504.tif 000004
【図３】
2018035504.tif 000005
【図４】
2018035504.tif 000006
【図５】
2018035504.tif 000007
【図６】
2018035504.tif 000008